(57)【要約】【課題】装飾紐が妄動することがなく、また下着類が身体から離れることなく、かつ、使用上の美観に変化を持たせ、併せて従来経験しなかった斬新な美粧効果を得ることにある。【解決手段】装飾紐１の、両端に上衣に隠蔽された、下着用ストラップ８に、付いている下着用ストラップ８の長さを調整する、下着用ストラップのアジャスター９、または、下着用ストラップ８と、下着用カップ１０を接続するために付いている、着脱自在の下着用ストラップの巻き回しチェーン４と、クリップ状係止具２を設け、前記下着用ストラップ８への、下着用ストラップの巻き回しチェーン４は、下着用ストラップ８に巻き付けながら、フック状係止具２で、係止することのできる。下着用ストラップの巻き回しチェーン４にも、係止可能とした装飾紐１で、クリップ状係止具２は下着の胸周りを隠す部分の下着用カップ１０に、係止可能とした装飾紐１【選択図】  図２
2008200178.tif 000002
【特許請求の範囲】
【請求項１】
装飾紐の両端に、上衣に隠蔽された下着用ストラップに付いている、下着用ストラップの長さを調整する下着用ストラップのアジャスター、または、下着用ストラップと下着用カップを接続するために付いている、下着用ストラップのマルカン金具へ、フック状係止具を装着し、フック状係止具を装着した近傍に、着脱自在の下着用ストラップの巻き回しチェーンと、クリップ状係止具を設け、前記下着用ストラップのアジャスターへの、下着用ストラップの巻き回しチェーンは、下着用ストラップに巻き付けながら、フック状係止具で係止することのできる。下着用ストラップの巻き回しチェーンにも、係止可能とした装飾紐で、クリップ状係止具は下着の胸周りを隠す部分の下着用カップに係止可能とした装飾紐の固定方法
【発明の詳細な説明】
【技術分野】
【０００１】
この発明は、チェーンを備えたネックレスの固定方法に関する。
【背景技術】
【０００２】
先行技術ではネックレスと記載されているが、本発明では装飾紐と言うが、同じ物を述べる。
【０００３】
チェーンを備えたネックレスの固定方法は広く知られるように人体の首周りに掛け回し、チェーンの両側に装着された比較的小さな環状の取り付け金具を首の背面に位置させた上、取り付け金具を首の背面で固定する方法が伝統的に行われている。たとえば、ネックレス１０のチェーン１２を人体の胸側を残して首周りに掛け渡しネックレス１０両側に備えた係止具１４、１４を上衣１６の下層であって上衣１６に
隠ぺいされた下着類１８にそれぞれ係止する。
【特許文献１】特開２００５−１６０６６５
【発明の開示】
【発明が解決しようとする課題】
【０００４】
前記の特許文献１記載の背景技術では、ネックレスの装着方法に止まる。したがって、ネックレスの両端を上衣１６の下層であって上衣１６の下層である下着類１８に係止する手段について具体的に開示されていない。
【０００５】
この結果、単に胸部の美観を図るに止まるから、美観に制約を受け、美粧上の興趣に欠けるという問題があった。
【０００６】
その上、下着に直接ネックレス端部をクリップで取り付けるため、取り付け金具が外れてネックレスを紛失するなどという問題が少なくなかった。
【０００７】
この発明の目的は、前記の背景技術の構成が有していた問題点を解決しようとするものであり、装飾紐が妄動することなく、また下着類が身体から離れることなく、かつ、使用上の美観に変化を持たせ、併せて従来経験しなかった斬新な美粧効果を得ることにある。
【課題を解決するための手段】
【０００８】
装飾紐の両端に、上衣に隠蔽された下着用ストラップに付いている、下着用ストラップの長さを調整する下着用ストラップのアジャスター、または、下着用ストラップと下着用カップを接続するために付いている、下着用ストラップのマルカン金具へ、フック状係止具を装着し、フック状係止具を装着した近傍に、着脱自在の下着用ストラップの巻き回しチェーンと、クリップ状係止具を設け、前記下着用ストラップのアジャスターへの、下着用ストラップの巻き回しチェーンは、下着用ストラップに巻き付けながら、フック状係止具で係止することのできる、下着用ストラップの巻き回しチェーンにも、係止可能とした装飾紐で、クリップ状係止具は下着の胸周りを隠す部分の下着用カップに係止可能とした装飾紐の固定方法
【０００９】
この発明の課題解決手段は、上記のように構成されているから、以下の作用効果を奏する。装飾紐の両端を、下着用ストラップのアジャスターがない場合は、直接、下着用ストラップに、下着用ストラップの巻き回しチェーンを巻き回して、その下着用ストラップの巻き回しチェーンに、フック状係止具を係止することも出来る。下着用ストラップのアジャスターが、付いている場合には、その下着用ストラップのアジャスターに、フック状係止具を係止することで下着を身体から浮き上がる事を防ぐ。また、装飾紐の両側に備えられたフック状係止具は、上衣に隠蔽された下着用ストラップに係止されるから、係止具は外観上見えないから、装飾紐の使用上の違和感が無い事のほか、装飾紐の美観の向上化に寄与できる。
【００１０】
その上、背景技術と異なり、フック状係止具の取り扱いは、下着類を対象とするものの、人体の正面側において行う事が出来る。下着用ストラップのアジャスターがある場合も、下着用ストラップのアジャスターが無い場合にも、この発明の装飾紐を用いることが出来る。また下着用ストラップを外した場合には、胸周りを隠す部分の下着用カップに付属のクリップ状係止具で係止することも出来る。
【００１１】
また、両側に備えられた該フック状係止具を下着類に止めるから、下着が身体から浮き上がることなく、かつ装飾紐の妄動を少なく出来る。さらに、該フック状係止具は上衣の下層に位置する下着類の下着用ストラップに止めるから、フック状係止具は外部からの干渉を受ける事が少ないから、係止具が妄りに下着類から外れるおそれがない。
【００１２】
フック状係止具を上衣の下層の下着用ストラップに止める事により、従来経験しなかった斬新な装飾紐の美粧効果を期待できる。
【発明を実施するための最良の形態】
【００１３】
この発明の実施の形態に係る装飾紐１の、図１及び図2、図３、図４、図５を、図面を使って発明の説明をする。この発明の使い方について以下に述べる。この発明を実施するには、予め装飾紐１、たとえば、真珠・ゴールド・プラチナ・シルバーなどの両側に、フック状係止具２、引き輪状係止具３、下着用ストラップの巻き回しチェーン４、クリップ状係止具５、ペンダント６を備えた装飾紐１、（図１を参照）下着用ストラップ８には、様々な形状がありますが、この固定方法の仕方は下着用ストラップ８が付いている場合に使用することや、下着用ストラップ８が付いていない場合などに使用できる固定方法である。図１に示された装飾紐１は図２に示した上衣に隠蔽された、下着用ストラップのマルカン金具７に、装飾紐１の両側に係止しているフック状係止具２で、人体の胸部において十字状に交差させて両側の下着用ストラップのマルカン金具７に固定する。
【００１４】
この発明は装飾紐１、たとえば、真珠・ゴールド・プラチナ・シルバーなどの両端にフック状係止具２を備えるが、装飾紐１の内側つまり装飾紐１の中央寄りの位置に別の係止具を備えることにより、これら中央寄りの係止具を利用することにより、装飾紐１の長さを短い位置で利用できることも発明者は予定している。
【００１５】
図２に示すようにフック状係止具２は、一般にも用いられるフック状係止具２のものであって、その一部が欠いてあり、下着用ストラップ８の、長さを調整する下着用ストラップのアジャスター９や、下着用ストラップの巻き回しチェーン４に、フック状係止具２で、係止するもので良い。
【００１６】
そこで、前記した装飾紐１による装飾紐１の固定方法を、図２、図３、図４、図５を参照して説明する。
【００１７】
図１に示された装飾紐１は、胸側に交差しながら図２に示した上衣に隠蔽された下着用ストラップのマルカン金具７に、装飾紐１の両側に係止しているフック状係止具２で固定する。
【００１８】
図１に示された装飾紐１は、胸側に交差しながら図３に示した上衣に隠蔽された下着用ストラップ８に、装飾紐１の両側に係止している、引き輪状係止具３、下着用ストラップの巻き回しチェーン４を、下着用ストラップ８に巻きつけて、フック状係止具２で固定する。
【００１９】
図１に示された装飾紐１は、胸側に交差しながら図４に示した上衣に隠蔽された下着用ストラップのアジャスター９に装飾紐１の両側に係止しているフック状係止具２で固定する。
【００２０】
図１に示された装飾紐１は、胸側に交差しながら図５に示した上衣に隠蔽された下着用カップ１０に装飾紐１の両側に係止しているクリップ状係止具５で固定する。
【００２１】
よって、装飾紐１は胸側に交差されるから、一層、装飾紐１が妄動することが少ない十字状に装飾紐１を交差させることにより、胸元を大きく開いた上衣を着用した時、装飾紐１の十字部分が存在することにより、胸元が一層華やかになる利点もある。
【００２２】
さらに、交差部や下着用ストラップの巻き回しチェーン４に、別の身飾り品物、たとえばペンダント６を装着することにより美観の向上化を図ることも出来る。
【産業上の利用可能性】
【００２３】
装飾品の産業に利用できる
【図面の簡単な説明】
【００２４】
【図１】この発明の実施の固定方法に係る装飾紐１の斜視図である。
【図２】この発明の実施の固定方法に係る装飾紐１の両端に、装着されたフック状係止具２と、下着用ストラップのマルカン金具７を示す正面図である。
【図３】この発明の実施の固定方法に係る装飾紐１の両端に、装着されたフック状係止具２と、引き輪状係止具３と、下着用ストラップの巻き回しチェーン４と、下着用ストラップ８を示す正面図である。
【図４】この発明の実施の固定方法に係る装飾紐１の両端に、装着されたフック状係止具２と下着用ストラップのアジャスター９を示す正面図である。
【図５】この発明の実施の固定方法に係る装飾紐１の両端に、装着されたクリップ状係止具５と、下着用カップ１０を示す正面図である。
【符号の説明】
【００２５】
１  装飾紐
２  フック状係止具
３  引き輪状係止具
４  下着用ストラップの巻き回しチェーン
５  クリップ状係止具
６  ペンダント
７  下着用ストラップのマルカン金具
８  下着用ストラップ
９  下着用ストラップのアジャスター
１０  下着用カップ
【図１】
2008200178.tif 000003
【図２】
2008200178.tif 000004
【図３】
2008200178.tif 000005
【図４】
2008200178.tif 000006
【図５】
2008200178.tif 000007